(57)【特許請求の範囲】
【請求項１】
車体上部にキャビンを有し、このキャビン内の作業者が車体に取り付けた作業装置を操作可能な作業機械において、
前記キャビンの天井部近傍であって少なくとも左右の側面部および前面部に分割形状のルーフカバーを取付け、前記ルーフカバーは、前側ルーフカバーおよび左側ルーフカバー、右側ルーフカバーをそれぞれ別個にプラスチック成形して構成されており、左側ルーフカバーおよび右側ルーフカバーはそれぞれ前照灯の上部を覆うように形成されていることを特徴とする作業機械。
【請求項２】
前記分割形状のルーフカバーは、前記キャビンの天井部近傍であって少なくとも左右の側面部および前面部に設けた雨垂れ防止部材に取り付けられており、前記雨垂れ防止部材は、前記キャビンの天井部を構成する前後フレームまたは前側の左右フレームに直接取り付けられていることを特徴とする請求項１に記載の作業機械。
【請求項３】
前記雨垂れ防止部材と前記ルーフカバーとで前記キャビンの天井から流れる雨水用の樋を形成したことを特徴とする請求項１または２に記載の作業機械。
【請求項４】
前記雨垂れ防止部材は前記ルーフカバーよりも高さが低い位置に取り付けられていることを特徴とする請求項１ないし３のいずれか１項に記載の作業機械。
【発明の詳細な説明】
【技術分野】
【０００１】
本発明は、ホイールローダ等の作業機械に係り、特にキャブを備えた作業機械に好適な作業機械のルーフカバーに関する。
【背景技術】
【０００２】
従来の作業機械の例が、特許文献１に記載されている。この公報に記載の建設機械では、キャビン用の雨樋を、製作が容易で溶接等による歪が発生しないようにするために、キャビンのフロント窓側に流れる雨水を誘導する雨樋を別個に形成している。そして、キャビン外側鋼板と内側鋼板を固定するトリムゴムに、キャビン外側鋼板と内側鋼板とを一緒に挟み込んで雨樋を取り付けている。
【０００３】
従来の作業機械の他の例が、特許文献２に記載されている。この公報に記載のホイールローダでは、キャブを運転席を収容するキャブ本体と、キャブ本体を上方から覆うルーフ部材とにより構成する。また、ホイールローダがキャノピーを備えている場合には、キャノピーを、支柱と支柱の上端側に取り付けられ運転席を上方から覆うルーフ部材とで構成している。そして、キャブを備えるホイールローダであっても、キャノピーを備えるホイールローダであっても、ルーフ部材を共通化して製造コストを低減している。
【０００４】
従来の作業機械のさらに他の例が、特許文献３に記載されている。この公報に記載の建設機械では、建設機械が備えるキャノピーにおいて、運転者の頭上のスペースを広くし、建設機械が揺れても雨水がこぼれにくいようにし、キャノピールーフの周縁全体の雨水処理を適切にできるようにするために、キャノピールーフの周縁に、上方に延びる堰部材を取付け、この堰部材でキャノピールーフの外側に樋を形成している。
【先行技術文献】
【特許文献】
【０００５】
【特許文献１】特開平１０−２１９７４４号公報
【特許文献２】特開２００４−３５９００６号公報
【特許文献３】特開２００３−１１３６２２号公報
【発明の概要】
【発明が解決しようとする課題】
【０００６】
上記特許文献１に記載の建設機械では、フロントガラスへ雨水が垂れ落ちてこの建設機械の運転者の視界が悪くなるのを防止している。特に、天井に溜まった雨水が垂れ落ちてフロントガラスの視界を悪化させるのを防止している。しかしながら、この公報に記載の建設機械では、キャビンの天井部については十分な考慮がなされていない。
【０００７】
すなわち、キャビンの天井部には、強度部材としての内側構造物に対し、意匠部材としての外側化粧板および内側化粧部材が用いられることが多く、これらの内外の化粧部材により、キャビンの天井部の重量が増している。また、これらの内外の化粧部材のために、キャビンの高さも高くせざるを得ないが、建設機械を輸送するときの法律の規定により、キャビンの高さにも限界がある。
【０００８】
また、上記特許文献２に記載の建設機械では、キャビンタイプにもキャノピータイプにも同じルーフを採用することにより、経済的な効果が得られる。しかしながらこの公報に記載建設機械でもキャビンまたはキャノピーの天井にこのキャビンまたはキャノピーの天井全体を覆うルーフ部材を設けているので、天井部の重量が増加している。
【０００９】
さらに、特許文献３に記載のキャノピータイプの作業機械では、キャノピーの中央部を持ち上げ、キャノピー周囲部に堰部材を設けている。しかし、キャビンタイプとは異なり十分な強度がないので、傾斜作業等には不適である。そして、堰部材から雨水が揺れ落ちない程度の揺れ作業でないと、堰部材があっても作業者の周囲にはカバーがないので作業者が天井からの雨水で濡れるおそれがある。つまり、作業者の居住空間を堅牢にしたがゆえに居住空間が狭まるときの雨水対策については、十分には考慮されていない。
【００１０】
本発明は上記従来技術の不具合に鑑みなされたものであり、その目的はキャビンを備えた作業機械で、作業者の居住空間高さ（キャビン内高さ）をできるだけ広く確保しながら、ルーフカバーの重量を低減することにある。
【課題を解決するための手段】
【００１１】
上記目的を達成する本発明の特徴は、車体上部にキャビンを有し、このキャビン内の作業者が車体に取り付けた作業装置を操作可能な作業機械において、前記キャビンの天井部近傍であって少なくとも左右の側面部および前面部に分割形状のルーフカバーを取付け、前記ルーフカバーは、前側ルーフカバーおよび左側ルーフカバー、右側ルーフカバーをそれぞれ別個にプラスチック成形して構成されており、左側ルーフカバーおよび右側ルーフカバーはそれぞれ前照灯の上部を覆うように形成されていることにある。
【００１２】
そしてこの特徴において、前記分割形状のルーフカバーは、前記キャビンの天井部近傍であって少なくとも左右の側面部および前面部に設けた雨垂れ防止部材に取り付けられていて、前記雨垂れ防止部材は、前記キャビンの天井部を構成する前後フレームまたは前側の左右フレームに直接取り付けられているのが好ましく、また、前記雨垂れ防止部材と前記ルーフカバーとで前記キャビンの天井から流れる雨水用の樋を形成するのが好ましい。さらに、前記雨垂れ防止部材は前記ルーフカバーよりも高さが低い位置に取り付けられていることが望ましい。
【発明の効果】
【００１４】
本発明によれば、ホイールローダで代表される作業機械において、雨垂れ防止手段を利用して分割形状のルーフカバーをキャビンの天井部に取り付けるようにしたので、作業者の居住空間高さ（キャビン内高さ）を可能な限り広く確保しながら、ルーフカバーの重量を低減できる。
【図面の簡単な説明】
【００１５】
【図１】本発明に係る作業機械の一つであるホイールローダの一実施例の側面図および上面図である。
【図２】図１に示した作業機械が備えるキャブの詳細側面図である。
【図３】図２に示したキャブの斜視図で、一部分を示した図である。
【図４】図２に示したキャブからルーフカバーを取り去った図である。
【図５】図３のＡ−Ａ断面図である。
【発明を実施するための形態】
【００１６】
以下、本発明に係る作業機械の一例としてホイールローダを取り上げ、図面を用いて詳細に説明する。なお、作業機械はホイールローダに限るものではなく、油圧ショベルや道路機械等、キャブを有するものに適用できる。図１に、ホイールローダ１の一実施例を示す。図１（ａ）は、ホイールローダ１の側面図であり、図１（ｂ）はその上面図である。ホイールローダ１では、前後部に車輪５が取り付けられた車体２の一部である前部車体４に、上下に回動可能なように作業装置８が取り付けられている。車体２の上部には、作業者が乗降するキャビン（キャブ）６が設けられている。車体２の後部は、図示しないエンジン等が格納された後部車体３を形成している。
【００１７】
作業装置４は、先端にバケット１０備えている。バケット１０にはアーム９の一端側が連結されており、アーム９の他端側は前部車体４の端部に連結されている。バケット１０には、リンク１４も接続されており、リンク１４の他端側はベルクランク１３に接続されている。ベルクランク１３は、端部を前部車体４に接続されたシリンダで駆動され、バケット１０を上下に回動させる。アーム９の中間部に一端が接続され他端が前部車体４に取り付けられたアームシリンダ１１により、アーム９は車体２に対し回動可能になっている。
【００１８】
前後車輪５の中間部から後部にかけて位置するキャブ６の前部側であって上部には、前照灯７が取り付けられている。この前照灯の上部を覆うように、ルーフカバー２０がキャブ６の上面側に取り付けられている。ルーフカバー２０は、図１（ｂ）に示すように、左右に配置されたルーフカバー２２と、この左右のルーフカバー２２と連続し、キャブ６の前方に位置する前ルーフカバー２１とから構成されている。
【００１９】
図２に、図１に示したホイールローダ１が備えるキャブ６のみを取り出して、側面図で示す。キャブ６は、上下方向に延び、キャブ６の前部側に配置されたＡピラー４６と、キャブの後部側に配置されたＢピラー４７とを有している。Ａピラー４６とＢピラー４７の間には、作業者がホイールローダ１に乗り降りする際に使用するドア３０がヒンジ３３により開閉可能に取り付けられている。ヒンジ３３はＢピラー４７に取り付けられており、上下に２箇所設けられている。
【００２０】
ドア３０には開口が形成されており、この開口にシール部材３４ａを介してガラス窓３４が取り付けられている。ドア３０の下部には、ドアレバー３８が取り付けられている。Ａピラー４６よりも前方側にはフロントガラスとなるガラス窓３７が設けられている。Ｂピラー４７よりも後方側にも、ガラス窓３５が設けられている。Ａピラー４６には、作業者がキャブ６に乗り降りする際に用いる手すり３６が設けられている。キャブ６の前方側には、前照灯７が左右に配置されている。同様にフェンダーミラー３１も左右に配置されており、ワイパー３２も設けられている。キャブ６の後部には、後照灯１６が取り付けられている。
【００２１】
図３に、キャブ６の上部を斜視図で示す。上述したように、キャブ６の上部であって、左右の側面および前面には、ルーフカバー２０（２１、２２）が設けられている。ここで本発明の特徴であるが、ルーフカバー２０（２１、２２）は、キャブ６を構成する天板４１の部分には設けられておらず、キャブ６の側面部および前面部のみをカバーしている。従来は、キャブ６の上面の意匠性等を考慮して、化粧板によるルーフカバーでキャブ６の天井部分もカバーしていたが、背景技術の項で述べたように、この化粧板によりキャブ６の内部の高さが減少していた。本発明によれば、この化粧板を省いたのでキャブ６の内容積における高さを高くできるとともに、キャブ６の重量を低減できる。
【００２２】
なお、化粧板を省いても、前面ガラス窓３７にキャブ６の天井部からの雨が滴り落ちると作業者の操作性が低下するので、天井部に降ってきた雨が前面のガラス窓３７に落ちないように、ルーフカバー２１を設け、天井部の雨を側面部に設けたルーフカバー２２に導いている。これにより、側面部のルーフカバー２２は、前面部のルーフカバー２１に流れ込む雨滴を側面部に導く役割とともに、作業者がキャブ６に乗り降りする際に雨滴が作業者に落下するのを防止する役目もしている。そのため、側面部のルーフカバー２２では、後部側が溝の開口になっており、作業者の乗り降りしない部分から溜まった雨が地面へ流れ落ちるようになっている。また、側面部のルーフカバー２２の前部側は左右に大きく延びており、前照灯７に雨滴が当たるのを低減している。
【００２３】
図４および図５を用いて、ルーフカバー２０（２１、２２）の詳細を説明する。図４はルーフカバー２０（２１、２２）を取り去ったキャブ６の上部の斜視図であり、図３に対応する図である。図５（ａ）、（ｂ）は、図３のＡ−Ａ矢視断面図である。なおルーフカバー２０（２１、２２）はポリプロピレン等の樹脂製である。
【００２４】
キャブ６の天井部は、矩形状に形成された天板４１の周縁下面部をフレーム４３、４４、４９が支持する構成となっている。キャブ６の前面側に配置された左右フレーム４４は矩形管構造であり、前面部分の上下方向中間部に、左右フレーム４４の左右幅方向に延びる断面逆Ｌ字型の雨垂れ防止部材４５が取り付けられている。同様に、天板４１の左右の側部に配置される前後フレーム４３も矩形管構造であり、側面部分の上部に、前後フレーム４３と同方向に延びる断面逆Ｌ字型の雨垂れ防止部材４２が取り付けられている。前後フレーム４３には、Ｂピラー４７で支持される位置よりも内側部分に支柱４８が取り付けられている。なお、天板４１の後部側に配置される左右フレーム４９も矩形管構造であるが、雨垂れ防止部材は取り付けられていない。
【００２５】
図５（ａ）に示すように、ルーフカバー２２は断面逆Ｌ字型の雨垂れ防止部材４２の水平部分に一端部が取り付けられており、樋部５１を形成する。天板４１に降り注いだ雨は、樋部５１を伝わって地面へ注がれる。これにより、作業者がキャビン６内に搭乗するときまたはキャビン６から退出するときに、雨がドア３０部に滴り落ちて濡れるのを防止する。ここで、ルーフカバー２２は一端側に水平部を有し、さらに、この水平部からほぼ垂直上方に延びる部分と、この垂直部に連続しなだらかに下方に延びる部分とを有している。このとき、天板４１の最高部が、ルーフカバー２２の最高部以下となるようにルーフカバー２２の高さを位置決めする。
【００２６】
ところで、ホイールローダ１を車載して運搬するときには、その車載時の路面からの高さＨは、道路運送法の規定によって定められている。したがって、ルーフカバー２０を高くしすぎると、キャブ６内部の高さが減少して、居住性が低下する。一方、ルーフカバー２０の高さを低くしすぎると、雨垂れ防止部材４２とルーフカバー２０で形成される溝の深さが減少するとともに天板４１に降り注ぐ雨が溢れてガラス窓３７等に流れ落ちやすくなる。そこで、ルーフカバー２０（２１、２２）の高さ位置は、天板４１とほぼ同じか僅かに高くするのが望ましい。なお、図５（ａ）には左側面部を示したが、前面および右側面でも雨垂れ防止部材とルーフカバーの相対的な位置関係は、同様になっている。
【００２７】
図５（ｂ）は、図５（ａ）に示したルーフカバー２２の変形例である。雨垂れ防止部材４２ａの側面に張り出た部分が、水平方向ではなく斜め上方になっている場合に対応したものである。雨垂れ防止部材４２ａの形状に応じて、ルーフカバー２２ａの端部も水平から斜め下方に下がった形状となっている。その他の構成は、図５（ａ）に示した場合と同様である。本変形例によれば、雨垂れ防止部材４２ａとルーフカバー２２ａとで形成される樋部５２は逆三角形状になる。この場合でも、ルーフカバーの最高高さを抑えて、キャブ６の内部の高さを従来よりも高くすることができる。また、キャブ６の天板４１に降り注ぎ、前面側のルーフカバー２１が雨垂れ防止部材４５ａとで形成する溝に流れ込んだ雨は、側面部のルーフカバー２２と雨垂れ防止部材４２ａとで形成される溝に導かれる。したがって、前部のガラス窓４７に直接天板４１部の雨が流れ込んで作業者の作業性を損なうのを回避できる。
【００２８】
以上の実施例および変形例によれば、キャブの天板部の左右両側面部と前面部にだけルーフカバーを設けたので、キャブの内側の高さを高くできる。また、樹脂製のルーフカバーを従来の一体型形状から分割形状に変えたので、樹脂成形時の型の大きさを縮小できるとともに取り扱いが容易になり、作業性が向上する。さらに、必要なところだけにルーフカバーを設けたので、重量も低減する。
【００２９】
なお、上記実施例ではルーフカバーの分割数を３分割としているが、分割数はこれに限らず２個でも４個以上であってもよい。ただし、分割形状ができるだけ直線的な形状となる位置で分割するのが好ましい。また、大型のキャビンでは分割数を増やせば、樹脂成形時の型の大きさを縮小化できる。
【符号の説明】
【００３０】
１…作業機械（ホイールローダ）、２…車体、３…後部車体、４…前部車体、５…車輪、６…キャビン（キャブ）、７…前照灯、８…作業装置、９…アーム、１０…バケット、１１…アームシリンダ、１３…ベルクランク、１４…リンク、１６…後照灯、２０…ルーフカバー、２１…前ルーフカバー、２２，２２ａ…右（左）ルーフカバー、３０…ドア、３１…フェンダーミラー、３２…ワイパー、３３…ヒンジ（蝶番）、３４…ガラス窓、３４ａ…シール部材、３５…ガラス窓、３６…手すり、３７…ガラス窓、３８…ドアレバー、４１…天板、４２雨垂れ防止部材、４２ａ…、４３…前後フレーム、４４…左右フレーム（前）、４５…雨垂れ防止部材、４６…Ａピラー、４７…Ｂピラー、４８…支柱、４９…左右フレーム（後）、５１、５２…樋部。
【図１】
0005687218.tif 000002
【図２】
0005687218.tif 000003
【図３】
0005687218.tif 000004
【図４】
0005687218.tif 000005
【図５】
0005687218.tif 000006